(57)【特許請求の範囲】
【請求項１】
陰極と、該陰極に対向して設けられる陽極と、該陰極に対して陽イオンのみを選択的に通過させる隔膜と、を有し、該陽イオンが溶解した電解質水溶液から電解水を製造する電解水の製造装置において、
前記隔膜を固定する枠体と、
該枠体の前記隔膜を固定する両端部付近に、電解反応中に水分を吸収して膨張によって生じる該隔膜の歪みを吸収させる空間を有する歪み吸収部が設けられている特徴とする電解水の製造装置。
【請求項２】
前記隔膜は、少なくとも２つ以上に分割されていることを特徴とする請求項１記載の電解水の製造装置。
【請求項３】
前記陰極を収容する陰極室は、前記隔膜ごとに設けられていることを特徴とする請求項２記載の電解水の製造装置。
【請求項４】
陽極と、該陽極に対向して設けられる陰極と、該陽極に対して陰イオンのみを選択的に通過させる第１の隔膜と、該陰極に対して陽イオンのみを選択的に通過させる第２の隔膜と、を有し、該陽イオンおよび陰イオンが溶解した電解質水溶液から電解水を製造する電解水の製造装置において、
前記第１の隔膜と前記第２の隔膜とを固定する枠体と、
該枠体の前記第１の隔膜と前記第２の隔膜とを固定する両端部付近に、電解反応中に水分を吸収して膨張によって生じる隔膜の歪みを吸収させる空間を有する歪み吸収部が設けられていることを特徴とする電解水の製造装置。
【請求項５】
前記第２の隔膜は、少なくとも２つ以上に分割されていることを特徴とする請求項４記載の電解水の製造装置。
【請求項６】
前記陰極を収容する陰極室は、前記第２の隔膜ごとに設けられていることを特徴とする請求項５記載の電解水の製造装置。
【請求項７】
前記歪み吸収部は、前記枠体の奥行方向および幅方向に設けられる空間であることを特徴とする請求項１から６のいずれか１項に記載の電解水の製造装置。
【請求項８】
陰極と、該陰極に対向して設けられる陽極と、該陰極に対して陽イオンのみを選択的に通過させる隔膜と、を有し、該陽イオンが溶解した電解質水溶液から電解水を製造する電解水の製造装置において、
前記隔膜を支持するスペーサと、
該スペーサの一方の面に周方向に沿って、電解反応中に水分を吸収して膨張によって生じる該隔膜の歪みを吸収させる空間を有する歪み吸収部が設けられていることを特徴とする電解水の製造装置。
【請求項９】
前記スペーサの一方の面が複数に区画されており、区画ごとに前記歪み吸収部が設けられていることを特徴とする請求項８記載の電解水の製造装置。
【請求項１０】
前記歪み吸収部は、凹状の溝で形成されていることを特徴とする請求項８または９記載の電解水の製造装置。
【請求項１１】
前記陰極と前記隔膜との間には、該隔膜を通過した陽イオンを滞留させるイオン滞留体を配置したことを特徴とする請求項１から１０のいずれか１項に記載の電解水の製造装置。
【請求項１２】
前記陽極と前記第１の隔膜との間および前記陰極と前記第２の隔膜の間に、前記第１の隔膜を通過した陰イオンおよび前記第２の隔膜を通過した陽イオンを滞留させるイオン滞留体を配置したことを特徴とする請求項４に記載の電解水の製造装置。
【請求項１３】
前記イオン滞留体は、多孔質で含水性を有することを特徴とする請求項１１または１２に記載の電解水の製造装置。
【請求項１４】
前記イオン滞留体は、遮熱性を有することを特徴とする請求項１１から１３のいずれか１項に記載の電解水の製造装置。
【請求項１５】
前記イオン滞留体は、天然または合成の含水性のあるスポンジ、含水性のあるガーゼ、含水性のある不織布または含水性のある和紙であることを特徴とする請求項１１から１３のいずれか１項に記載の電解水の製造装置。
【請求項１６】
前記イオン滞留体は、前記陽極の陰極に対峙する側、もしくは、前記陽極の両側に配置されていることを特徴とする請求項１１または１２に記載の電解水の製造装置。
【請求項１７】
前記陽極と前記陰極は、前記イオン滞留体で覆われていることを特徴とする請求項１１または１２に記載の電解水の製造装置。
【請求項１８】
前記陽極は、表面に酸化処理が施され、前記陰極は、白金メッキが施されていることを特徴とする請求項１から１７のいずれか１項に記載の電解水の製造装置。
【発明の詳細な説明】
【技術分野】
【０００１】
本発明は、電解水の製造装置及び製造方法に関するものであり、特に、大容量の電解水を製造するための電解水の製造装置及び製造方法に関する。
【背景技術】
【０００２】
一般的な電解水の製造装置は、殺菌効果を示す酸性の電解水を得ることを目的として用いられており、主に医療分野や農業分野等に利用されている。酸性の電解水は、次亜塩素酸を成分としたものであり、例えば、三室型電解槽で製造される。
この三室型電解槽は、特許文献１に開示されているように陽極室と陰極室及び中間室とから構成されており、陽極室と陰極室には原水を通水させ、中間室には電解質水溶液（例えば、食塩水）を充填させる。そして、陽極と陰極に直流電圧を負荷させると、中間室に存在する塩化物イオンが電気泳動により陽極室に移動し、陽極での電解反応により次亜塩素酸を含む酸性の電解水が製造される。
【先行技術文献】
【特許文献】
【０００３】
【特許文献１】特開２０００−２４６２４９号公報
【発明の概要】
【発明が解決しようとする課題】
【０００４】
ところが、従来の電解装置又は特許文献１に示す装置では、図２８に示すように、陰極室の陰極に密着して設置されている陽イオン交換膜は、吸水性があり、陰極室に高圧で供給される電解原水や生成される電解水を吸水して膨張してしまう。一方、陰極室に高圧で供給される電解原水は陰極と陽イオン交換膜との間に入り込み、この電解原水の水圧によって膨張した陽イオン交換膜を中間室４００側へ押し込み、その結果、陽イオン交換膜が波打つような状態となってしまう。つまり、陽イオン交換膜の全体が歪曲状態となってしまい、波打った部分では、陰極３０１との距離が生じるために、陽イオン交換膜３１を通過した電解イオン物質が、高圧で陰極室３００に供給される電解原水によって流されてしまい、電解反応を十分に行うことができなくなってしまうという問題がある。また、陰極３０１に膨張して歪曲接触した部分が電極発熱で固化して劣化してしまうという問題がある。
【０００５】
さらに、従来の製造装置又は特許文献１に示す装置では、毎分３Ｌ程度の電解水の生成能力が限界である。そして、大量の電解水を製造できる装置の具現化が望まれているものの、例えば、毎分１０Ｌの生成能力を有する製造装置の場合には、陽イオン交換膜もそれに合わせた大きさが必要となるため、陽イオン交換膜が大きければ、その分だけ歪曲状態が顕著となり、約７０平方ミリ位の大きな隔膜面積では十分な電解反応が行われず、所望の量の電解水を得ることが困難となる。
【０００６】
本発明は係る問題に鑑みてなされたものであり、陽イオン交換膜の歪曲状態による陰極との密着性を補完しつつ、大量の電解水を製造することができる電解水の製造装置及び製造方法を提供することを目的とする。
【課題を解決するための手段】
【０００７】
上記課題を解決するために、本発明の電解水の製造装置は、陰極と、該陰極に対向して設けられる陽極と、該陰極に対して陽イオンのみを選択的に通過させる隔膜と、を有し、該陽イオンが溶解した電解質水溶液から電解水を製造する電解水の製造装置において、前記隔膜を固定する枠体と、該枠体の前記隔膜を固定する両端部付近に、電解反応中に水分を吸収して膨張によって生じる該隔膜の歪みを吸収させる空間を有する歪み吸収部が設けられている特徴とする。
【０００８】
また、本発明の電解水の製造装置は、前記隔膜は、少なくとも２つ以上に分割されていることを特徴とする。
【０００９】
また、本発明の電解水の製造装置は、前記陰極を収容する陰極室は、前記隔膜ごとに設けられていることを特徴とする。
【００１０】
また、本発明の電解水の製造装置は、陽極と、該陽極に対向して設けられる陰極と、該陽極に対して陰イオンのみを選択的に通過させる第１の隔膜と、該陰極に対して陽イオンのみを選択的に通過させる第２の隔膜と、を有し、該陽イオンおよび陰イオンが溶解した電解質水溶液から電解水を製造する電解水の製造装置において、前記第１の隔膜と前記第２の隔膜とを固定する枠体と、該枠体の前記第１の隔膜と前記第２の隔膜とを固定する両端部付近に、電解反応中に水分を吸収して膨張によって生じる隔膜の歪みを吸収させる空間を有する歪み吸収部が設けられていることを特徴とする。
【００１１】
また、本発明の電解水の製造装置は、前記第２の隔膜は、少なくとも２つ以上に分割されていることを特徴とする。
【００１２】
また、本発明の電解水の製造装置は、前記陰極を収容する陰極室は、前記第２の隔膜ごとに設けられていることを特徴とする。
【００１３】
また、本発明の電解水の製造装置は、前記歪み吸収部は、前記枠体の奥行方向および幅方向に設けられる空間であることを特徴とする。
【００１４】
また、本発明の電解水の製造装置は、陰極と、該陰極に対向して設けられる陽極と、該陰極に対して陽イオンのみを選択的に通過させる隔膜と、を有し、該陽イオンが溶解した電解質水溶液から電解水を製造する電解水の製造装置において、前記隔膜を支持するスペーサと、該スペーサの一方の面に周方向に沿って、電解反応中に水分を吸収して膨張によって生じる該隔膜の歪みを吸収させる空間を有する歪み吸収部が設けられていることを特徴とする。
【００１５】
また、本発明の電解水の製造装置は、前記スペーサの一方の面が複数に区画されており、区画ごとに前記歪み吸収部が設けられていることを特徴とする。
【００１６】
また、本発明は、前記歪み吸収部は、凹状の溝で形成されていることを特徴とする。
【００１７】
また、本発明の電解水の製造装置は、前記陰極と前記隔膜との間には、該隔膜を通過した陽イオンを滞留させるイオン滞留体を配置したことを特徴とする。
【００１８】
また、本発明の電解水の製造装置は、前記陽極と前記第１の隔膜との間および前記陰極と前記第２の隔膜の間に、前記第１の隔膜を通過した陰イオンおよび前記第２の隔膜を通過した陽イオンを滞留させるイオン滞留体を配置したことを特徴とする。
【００１９】
また、本発明の電解水の製造装置は、前記イオン滞留体は、多孔質で含水性を有することを特徴とする。
【００２０】
また、本発明の電解水の製造装置は、前記イオン滞留体は、遮熱性を有することを特徴とする。
【００２１】
また、本発明の電解水の製造装置は、前記イオン滞留体は、天然または合成の含水性のあるスポンジ、含水性のあるガーゼ、含水性のある不織布または含水性のある和紙であることを特徴とする。
【００２２】
また、本発明の電解水の製造装置は、前記イオン滞留体は、前記陽極の陰極に対峙する側、もしくは、前記陽極の両側に配置されていることを特徴とする。
【００２３】
また、本発明の電解水の製造装置は、前記陽極と前記陰極は、前記イオン滞留体で覆われていることを特徴とする。
【００２４】
さらに、本発明の電解水の製造装置は、前記陽極は、表面に酸化処理が施され、前記陰極は、白金メッキが施されていることを特徴とする。
【発明の効果】
【００２５】
本発明によれば、電解反応中に膨潤して波打った状態の陽イオン交換膜の膨張による歪曲部分を吸収することで陰極との密着性を保持することができる。また、装置を大型化するにあたっては陰極室を複数に区画して設けることで陽イオン交換膜の変形を最小限抑えることができ、電解効率を低下させず、長時間の稼働を可能とすることができる。
【図面の簡単な説明】
【００２６】
【図１】第１の実施形態に係る電解水の製造装置の構成を示した断面図である。
【図２】中間室の隔壁を示した図である。
【図３】図３（ａ）は、歪み吸収部の構成を示した図であり、図３（ｂ）は、歪み吸収部の作用について示した図である。
【図４】本発明の電解水の製造装置の変形例を示した図である。
【図５】本発明の電解水の製造装置の変形例を示した図である。
【図６】第１の隔膜及び第２の隔膜を示した図である。
【図７】電解水の製造装置内でのイオンの挙動を示した図である。
【図８】陽極室におけるイオン滞留体の配置を示した組立図である。
【図９】陽極室におけるイオン滞留体の配置を示した分解斜視図である。
【図１０】陰極室におけるイオン滞留体の配置を示した組立図である。
【図１１】陰極室におけるイオン滞留体の配置を示した分解斜視図である。
【図１２】陽極室におけるイオンの動きを示した図である。
【図１３】陽極室における電解原水の動きを示した図である。
【図１４】陰極室における電解イオン物質の動きを示した図である。
【図１５】実施例における実験結果を示した表である。
【図１６】実施例における実験結果を示した表である。
【図１７】実施例における実験結果を示した表である。
【図１８】実施例における実験結果を示した表である。
【図１９】第２の実施形態に係る電解装置の概略構成図である。
【図２０】図２０（ａ）は、枠体の構成を示した図であり、図２０（ｂ）は、枠体に陽イオン交換膜を設置した図である。
【図２１】図２１（ａ）は、枠体の構成を示した図であり、図２１（ｂ）は、枠体に陰極を接地した図である。
【図２２】陰極室における枠体の配置を示した組立図である。
【図２３】陰極室における枠体の配置を示した分解斜視図である。
【図２４】陰極室を上下に区画した電解装置の構成を示した図である。
【図２５】陰極室を複数に区画した電解装置の構成を示した図である。
【図２６】歪み吸収部を設けたスペーサの構成を示した図である。
【図２７】歪み吸収部を設けたスペーサの構成を示した図である。
【図２８】従来の陰極室における陽イオン交換膜の状態を示した図である。
【発明を実施するための最良の形態】
【００２７】
以下、本発明の好適な実施の形態について図面を参照しながら説明する。
【００２８】
＜第１の実施形態＞
本実施の形態では、本発明に係る電解水の製造装置を次亜塩素酸の製造の場合に適用した例について示す。なお、本実施の形態では陽極室、中間室、陰極室とからなる三室型の電解装置について説明するが、言うまでもなく、本発明は陽極室、陰極室とからなる二室型の電解装置についても適用することができる。
【００２９】
図１は、電解水の製造装置（以下、「電解装置」という）の模式図である。
図１に示すように、電解装置１００は、中央に配設された中間室４００の一方の片側に陽極室２００が配設され、他方の片側に陰極室３００が配設されている。中間室４００と陽極室２００とは第１の隔膜２１で隔てられており、中間室４００と陰極室３００とは第２の隔膜３１で隔てられている。また、中間室４００には、スペーサ２３，３３が電解質水溶液の還流空間を確保するために隙間なく設置されている。そして、陽極室２００および陰極室３００には、陽極２０１と陰極３０１が設けられている。陽極２０１と第１の隔膜２１との間および陰極３０１と第２の隔膜３１との間には、常温の電解原水と電解質水溶液中のイオン（陰イオンおよび陽イオン）を滞留させる含水性の高いイオン滞留体２２，３２が設けられている。
なお、陽極２０１、第１の隔膜２１、イオン滞留体２２は、電解装置１００を組み立てる際に陽極室２００内に設けられている凸部２００ａの押圧力によって陽極室２００内に保持されている。同様に、陰極３０１、第２の隔膜３１、イオン滞留体３２は、陰極室３００内の凸部３００ａの押圧力によって保持されている。
【００３０】
ここで、陽極２０１と陰極３０１は、網目状の電極や、多数の孔を有する電極、例えば、１．５ｍｍ前後でパンチング加工した電極やハーフパンチング加工した電極などからなる。
パンチング加工した電極の場合、電極面積の２０％前後をパンチング穴とし、有効電極面積を８０％前後とする。なお、電極の強度を維持するために有効電極面積を５０〜８０％残すようにパンチング加工するのが好ましい。これにより、イオンがパンチング穴を通過して電極両面に行き来することができ、かつ、パンチング穴の切片付近で電解原水とイオンの接触率が高くなり、効率良く電解反応を行うことができる。
また、ハーフパンチング加工した電極の場合、パンチング穴の部分は爪状として残るため、有効電極面積は１００％のままであって、パンチング加工した電極と比べて損失せず、また、爪状として残った電極部分では、接触した電解原水が乱流することで電極の表裏で電解反応をより効率よく行うことができる。
また、電極の材質は公知のものを適用することができる。なお、陽極２０１および陰極３０１は、上記に限ることなく、例えば、チタン製やステンレス製の金網を多層にわたって重ねたものや、金属チタンの粒子及び繊維を多孔質状に固めた焼結体でかつ、立体形状で構成される多孔質体の電極から構成しても良い。
なお、陽極２０１および陰極３０１には表面に対して酸化処理もしくは白金メッキを行うと良い。
【００３１】
陽極２０１は、直流電源６００のプラス側に接続され、陰極３０１には直流電源６００のマイナス側に接続されている。直流電源６００は、その電圧や電流を任意に設定できる構成になっている。例えば、電圧は５〜２０ボルト程度の範囲で任意に選択することができ、電流についても３〜２６アンペアの範囲で適宜選択して設定することができる。
【００３２】
陽極２０１と陰極３０１の大きさは、図では同一の大きさとなっており、電極表面積も同一となっているが、非対称、即ち、電極表面積の大きさを異ならせてもよい。電極表面積の大きさを異ならせることにより、陽極２０１の電解量又はｐＨ、酸化還元電位（以下、ＯＲＰ）、残留塩素濃度と陰極３０１の電解量又はｐＨ、ＯＲＰ等を変えることができる。また、陽極電極の電極体積と陰極電極の電極体積とを異ならせてもよい。両電極の電極体積を異ならせれば、混合された電解水の酸性度を適宜調整することができる。つまり、陽極２０１の電極体積は陰極３０１の電極体積より大きくすると、酸性電解水の発生量がアルカリ性電解水の発生量より多くなるため、酸性度を高めることができる。一方で、陰極３０１の電極体積を陽極２０１の電極体積より大きくすると、アルカリ性電解水の発生量が酸性電解水の発生量より多くなるため、アルカリ性の度合いを高めることができる。
【００３３】
電解装置１００には、陽極室２００に電解原水を給水するための第１の給水口２０２と、陰極室３００に電解原水を給水するための第２の給水口３０２と、が設けられている。第１の給水口２０２および第２の給水口３０２に繋がる流路は、１つの流路が分岐されて構成されている。その流路の分岐したところには、陽極室２００および陰極室３００への水量の分配を調整するための分配割合調整バルブ７００が設けられている。なお、分配割合調整バルブ７００には、電解装置１００に電解原水を供給する量を調整する供給量調整機能をもたせてもよい。
【００３４】
また、電解装置１００には、陽極室２００で生成した電解水を吐出させるための第１の吐出口２０３と、陰極室３００で生成した電解水を吐出させるための第２の吐出口３０３とが設けられている。第１の吐出口２０３は、吐出される電解水の量を調整する第１の吐出バルブ２０４を有し、第２の吐出口３０３は、吐出される電解水の量を調整する第２の吐出バルブ３０４を有する。
【００３５】
第１の吐出口２０３および第２の吐出口３０３は、陽極室２００および陰極室３００のそれぞれの下部に設けられ、第１の給水口２０２および第２の給水口３０２は、陽極室２００および陰極室３００のそれぞれの上部に設けられている。これにより、各給水口から給水された液体（電解原水）が電極表面に発生する塩素ガス（Ｃｌ２）の上昇に逆らって上から下へ向かって流れ、流速抵抗の大きな電極内の細孔をくまなく通り、効率良く気液接触させることができる。従って、陽極２０１で発生する気体（電解質水溶液が塩化ナトリウムや塩化カリウムの場合は塩素）からなる気泡と水との気液接触時間が長くなり、次亜塩素酸への反応を確実に行うことができる。
【００３６】
陽極室２００は、縦長であるとよい。具体的には、陽極２０１と直交する方向の陽極室２００の幅よりも陽極室２００の高さの方が大きいとよい。その陽極室２００の幅に対する陽極室の高さの比（高さ／幅）は、例えば、１．５以上、好ましくは１．５〜５．０であることが望ましい。このような縦長であることにより、陽極室２００で発生した上昇する塩素ガス（Ｃｌ２）が水と接触する時間を長くすることができ、塩素と水との反応を確実に行うことができる。また、陰極室３００も同様とするとよい。
【００３７】
中間室４００には、供給タンク４０１からパイプ４０２を介して供給される電解質水溶液が充填されており、この電解質水溶液に含まれる電解イオン物質を陽極室２００および陰極室３００に供給する。この電解質水溶液には、例えば、塩化物水溶液（塩化ナトリウム水溶液や塩化カリウム水溶液）を用いる。中間室４００を通過した水溶液は供給タンク４０１に戻され、電解質水溶液として再利用して循環させ、消費した分だけの電解質水溶液を中間室４００に補充するようにする。なお、電解質水溶液の濃度は、例えば、電解質の飽和濃度とすることができる。
【００３８】
図２は、中間室の外枠の構成を示す図である。
図に示すように、中間室４００を構成する外枠５０には、図１に示すスペーサ２３，３３を配置するための開口部５１が中央部に設けられ、その周囲には、複数の連通孔５００が設けられている。この連通孔５００を通じて陽極室２００と陰極室３００で生成される電解水が陽極室２００と陰極室３００との間で双方向に移動することができる。この移動により、電極でのスケール付着を防止することができる。例えば、陽極室２００で生成された酸性の電解水を陰極室３００に移動させることにより、陰極３０１にスケールが付着することを防止することができる。
なお、後述するように、外枠５０に連通孔５００を設けずに、別途、陽極室２００と陰極室３００とを連通させることも可能である。
また、開口部５１の上下には、外枠５０の両側に設置される第１の隔膜２１と第２の隔膜３１とが電解反応中に膨潤した場合に、当該隔膜の歪んだ部分を吸収する開口の歪み吸収部５２が設けられている。
【００３９】
図３（ａ）は、この歪み吸収部の構成を示した模式図であり、図３（ｂ）は、歪み吸収部の作用について示した模式図である。
前述したように、歪み吸収部５２は、中間室４００を構成する外枠５０に設けられており、その開口幅は第１の隔膜２１及び第２の隔膜３１の幅に合わせた開口幅となっている。そして、図３（ａ）に示す状態で電解反応を行っていくと、第１の隔膜２１及び第２の隔膜３１が、電解原水及び生成される電解水を吸収して膨潤して歪みが発生する。図１に示すように、第１の隔膜２１は、スペーサ２３とイオン滞留体２２によって挟まれており、第２の隔膜３１は、スペーサ３３とイオン滞留体３２によって挟まれているため、図３（ｂ）に示すように、この部分で発生する歪みが上下に押しやられ、上下に設けられている歪み吸収部５２の開口に吸収される。この歪み吸収部５２による歪みの吸収によって、第１の隔膜２１と陽極２０１並びに第２の隔膜３１と陰極３０１との距離が保たれるため、電解効率を低下させることなく、長時間の稼働が可能となる。
【００４０】
図４は、連通孔に代えて連通路を設けた構成を示す図である。
図１と共通する構成については図１と同一の符号を付したので、ここでは重複する説明は省略するが、図４の構成では、中間室４００を構成する外枠５０の周囲に陽極室２００と陰極室３００とを連通させる連通孔５００を設ける代わりに、別途陽極室２００と陰極室３００とを管路で連通させる連通路５０１を設けて連通させるようにしている。連通路５０１の設置によって陽極室２００と陰極室３００で生成される電解水が陽極室２００と陰極室３００との間で双方向に移動することができる。この移動により、電極でのスケール付着を防止することができる。
【００４１】
図５は、電解原水の供給量を調整する開閉バルブを設けた構成を示す図である。
図１と共通する構成については図１と同一の符号を付したので、ここでは重複する説明は省略するが、図に示すように、陽極室２００に対して電解原水の供給量を調整する第１の開閉バルブ２０２ａが設けられ、陰極室３００に対して電解原水の供給量を調整する第２の開閉バルブ３０２ａが設けられている。これらのバルブの開閉具合によって、電解水（酸性電解水又はアルカリ性電解水）の生成量を調整することができる。また、このように各電極室で生成される電解水の量を調整することによって、上記した連通孔５００を介して、ｐＨや酸化還元電位等の調整を行うことが可能となる。
【００４２】
図６は、第１の隔膜２１、第２の隔膜３１の構成を示す図である。
陽極室２００側に配置される第１の隔膜２１は、陰イオン透過膜から構成されている。この陰イオン透過膜は、中間室４００に供給されている電解質水溶液中の陰イオンのみを選択的に陽極室２００側に通過させることができる。第２の隔膜３１は、陽イオン透過膜から構成されている。この陽イオン透過膜は、中間室４００に供給されている電解質水溶液中の陽イオンのみを選択的に通過させることができる。なお、第１の隔膜２１および第２の隔膜３１は、公知のものを適用することができる。
【００４３】
図７は、電解装置内での電解原水とイオンの動きを示す図である。
図に示すように、中間室４００に供給されている電解質水溶液（食塩水）中の陰イオン（例えば、塩化物イオン）は、第１の隔膜（陰イオン交換膜）２１を通過して陽極室２００に供給される。また、中間室４００に供給されている電解質水溶液（食塩水）中の陽イオン（例えば、ナトリウムイオン）は、第２の隔膜（陽イオン交換膜）３１を通過して陰極室３００に供給される。
【００４４】
図８および図９は、陽極室２００におけるイオン滞留体２２の配置を示す図であり、図８は組立図、図９はその分解斜視図である。
図に示すように、イオン滞留体２２は、陽極２０１と第１の隔膜２１との間に配置され、中間室４００側に向かって、陽極２０１、イオン滞留体２２、第１の隔膜（陰イオン交換膜）２１の順で積層した状態で、かつスペーサ２３に密着して設置されている。従って、イオン滞留体２２は、その一面が陽極２０１に密着して接触し、他面が第１の隔膜（陰イオン交換膜）２１に密着して接触するように設置されている。
【００４５】
図１０および図１１は、陰極室３００におけるイオン滞留体３２の配置を示す図であり、図１０は組立図、図１１はその分解斜視図である。
図に示すように、イオン滞留体３２は、陰極３０１と第２の隔膜（陽イオン交換膜）３１との間に配置され、中間室４００側に向かって、陰極３０１、イオン滞留体３２、第２の隔膜（陽イオン交換膜）３１の順で積層した状態で、かつスペーサ３３に密着して設置されている。
【００４６】
なお、イオン滞留体３２を陰極３０１の両側に設置して陰極３０１全体をイオン滞留体３２で覆うことができる。これにより、電解される原水を陰極３０１両面付近に滞留させることができる。こうすることにより、陰極３０１両面付近に滞留する原水に対するチャージ量が増加する。原水に対するチャージ量が増加した分だけ、陽イオンに基づくスケールの付着が減少する。結果、連続運転がよりし易くなると共に、陰極３０１の逆洗浄が不要になるため、産業的な用途においてより有利な電解装置を実現することができる。併せて、陰極３０１にスケールが成長して第２の隔膜（陽イオン交換膜）３１を破損するのを防ぐことができるため、第２の隔膜（陽イオン交換膜）３１を保護する役割も果たすことができる。なお、陽極２０１も陰極３０１と同様にイオン滞留体３２で両面を覆ってもよい。
【００４７】
以上において、イオン滞留体２２，３２は、多孔質で含水性のある天然または合成のスポンジや、コットンで目を粗く織った柔らかい布で含水性のあるガーゼや、ペーパータオル等の含水性のある不織布や、含水性のある和紙等の紙などのように、所定の厚みを有し、液体を含浸して保持する性能を有するシート状の材料から構成されている。
【００４８】
このイオン滞留体２２，３２を電極（陽極２０１および陰極３０１）と隔膜（第１の隔膜（陰イオン交換膜）２１および第２の隔膜（陽イオン交換膜）３１）との間に設置することで、各電極室（陽極室２００および陰極室３００）に供給される電解原水を含水して、電解原水の流れを滞留させることができ、この滞留により、中間室４００から移動してくる電解イオン物質を効率良く電解密度の高い電極近傍に供給し各電極室内で電解することができる。従って、電解イオン物質が未電解のまま排出されることを防止することができる。
【００４９】
図１２は、陽極室２００内における電解イオン物質の動きを示す図である。
図に示すように、中間室４００から陽極室２００へ電解イオン物質（Ｃｌ−）が第１の隔膜２１を介して移動する。移動してきた電解イオン物質は、第１の隔膜（陰イオン交換膜）２１と陽極２０１の間に設置されているイオン滞留体２２内に滞留する。イオン滞留体２２内に滞留した電解イオン物質は、イオン滞留体２２内で分散し、かつ、次々と電解イオン物質が中間室４００から移動してくるので、イオン滞留体２２内での電解イオン物質が高濃度の状態が保持され、密着した電解密度の高い電極近傍にイオンを供給することができる。
【００５０】
これにより、陽極２０１に対して常に電解イオン物質を高濃度で供給することができ、電解反応を効率よく行うことができる。また、陽極２０１と第１の隔膜（陰イオン交換膜）２１の間のイオン濃度が高くなるため、高い電圧をかけてまで稼働させる必要がなく低電圧で装置本体を稼働させることができる。なお、このような効果は、陰極３０１と第２の隔膜３１との間に設置されたイオン滞留体３２でも同様である。
【００５１】
図１３は、陽極室内に供給される電解原水の動きを示す図である。
図に示すように、陽極室２００内に高圧で供給される電解原水は、陽極２０１の長手方向に沿って（図では電極左側の矢印方向に沿って）電極発熱を除去しながら流れると共に、陽極２０１の隙間から電解原水が第１の隔膜（陰イオン交換膜）２１側にも多少流れ込む。しかし、陽極２０１と第１の隔膜２１の間にイオン滞留体２２が設置されているので、第１の隔膜２１（陰イオン交換膜）側に流れ込んだ電解原水はイオン滞留体２２に含水され、遅い速度で電極内とを通過しながら排出口に流れ出る。このイオン滞留体２２付近では流れが遅くなり、電極発熱を奪いながら電極表層部及び電極内部で電解しながら通過し排出口に移動するので、中間室４００側から移動してきた電解イオン物質が未電解のまま流されてしまうことを防ぐことができる。
【００５２】
なお、電解反応に伴い陽極２０１の電源接続部分では７０℃近い発熱があるが、上述したように、陽極室２００に供給される電解原水は、陽極２０１の長手方向に沿って発熱した陽極２０１を冷却しながら流れると共に、陽極２０１の隙間から第１の隔膜（陰イオン交換膜）２１側へ流れ込んだ電解原水はイオン滞留体２２に含水されるので、このイオン滞留体２２がバッファの機能を果たすこととなり、陽極２０１での発熱が第１の隔膜（陰イオン交換膜）２１に伝わることを防ぐことができる。また、電解原水が陽極室２０１に供給され続ける限り、イオン滞留体２２にも電解原水が含水されるため、陽極２０１の発熱でイオン滞留体２２自体がわずかに熱を帯びることはあっても、第１の隔膜（陰イオン交換膜）２１への高温の伝達を防ぐことができる。
【００５３】
図１４は、陰極室３００内における電解イオン物質の動きを示した図である。
図に示すように、陰極室３００に設置された第２の隔膜（陽イオン交換膜）３１は、電解反応が進むにつれて供給される電解原水や生成されるアルカリ性電解水を吸水して、膨潤して陰極３０１の長手方向に対して大きく波打った状態に変形してしまう。即ち、当初は、第２の隔膜（陽イオン交換膜）３１が陰極３０１に対して密着して設置されていたところ、波打った状態に変形することで、陰極３０１との間に複数の隙間ができてしまう。
そこで、陰極３０１と第２の隔膜（陽イオン交換膜）３１との間に厚みのあるイオン滞留体３２を設置することにより、陰極３０１との間に形成された隙間を補完する。
【００５４】
そして、中間室４００に高圧で供給される電解原水がイオン滞留体３２に含水し、イオン滞留体３２付近において電解原水の流れが遅くなる。一方で、中間室４００から移動してくる電解イオン物質は第２の隔膜（陽イオン交換膜）３１を通過してイオン滞留体３２に滞留する。
これにより、隙間に電解原水が入り込むことを防ぎ、第２の隔膜（陽イオン交換膜）３１を通過した電解イオン物質が電解原水とともに流れてしまうことを防ぐことができる。
【実施例】
【００５５】
次に、下記条件に基づいて電解装置１００で電解水の生成実験を行った。
・電極（陽極及び陰極）
（穴径が１．５ｍｍ前後でパンチング穴加工した電極であって表面に白金メッキ
を施したもの）
・陽イオン透過膜（デュポン製  ナフィオン１１５ＣＳ）
・陰イオン透過膜（アストム社製  ＡＭＸ）
・イオン滞留体（紙おしぼり）
実験結果を、図１５〜図１８に示す。
【００５６】
図１５〜図１８は、上記した条件による電解装置を連続稼働させた結果を示したものである。
テストは、２０１０年１２月１０日〜２０１１年３月４日までの８５日間を行った。このうち、初日から３１日目までは、電解装置を平均８．２時間稼働させ、３２日目から８５日目までは、２４時間連続稼働させた。
その結果、連続稼働の中で陽極室では、酸性電解水をｐＨ４．１、酸化還元電位（ＯＲＰ）１１００ｍＶ、次亜塩素酸濃度６０ｐｐｍといった一定の品質で生成することができた。一方で、陰極室では、アルカリ性電解水をｐＨ１１．６、酸化還元電位（ＯＲＰ）−２００ｍＶといった一定の品質で生成することができた。また、連続稼働中の稼働電圧も１２Ｖと一定の電圧を保持することができた。
これにより、本実施形態に係る電解装置では、１２Ｖといった一定の低電圧で計１５５１時間もの間、稼働させることができ、一定の品質の電解水を定性的に生成することができた。
また、陽極２０１の発熱による陰イオン交換膜２１の劣化も認められず、陰極３０１では、スケールの付着を最小限に抑えることができた。
【００５７】
＜第２の実施形態＞
第２の実施形態に係る電解装置は、大量の電解水を製造することを目的として大型化した装置である。
【００５８】
電解装置を大型化するにあたって、陰極室に設置する第２の隔膜（陽イオン交換膜）も電解装置のサイズに合わせた大きさを必要とするが、上記したように第２の隔膜（陽イオン交換膜）の劣化の問題からすると、第２の隔膜（陽イオン交換膜）が大きければその分だけ波打つ状態も大きくなり、陰極との隙間が大きくなることで、電解効率の低下につながり、大量の電解水の製造を困難とする。
そこで、第２の実施の形態では、第２の隔膜（陽イオン交換膜）が波打った状態になっても電解効率の低下につながらない程度の大きさのものを複数配列することで、大量の電解水を製造することができる電解装置の実現を図ったものである。
【００５９】
以下、図１９〜２３を参照して説明する。
図１９は、第２の実施形態に係る電解装置の概略構成図である。
なお、陽極室２００の構成については、図１と構成が共通するため、ここでは重複する説明は省略する。また、図１と同一機能の部分には同一符号をつけて表示したので、これについても重複する説明は省略する。
【００６０】
図に示す電解装置１００は、例えば、通常の電解装置で３Ｌ／分の電解水の生成能力があるのに対して、１０Ｌ／分の電解水の生成能力がある大きさである。陰極室３００では、スペーサ３３とイオン滞留体３２との間に設置された枠体３１ａに上下２段に第２の隔膜（陽イオン交換膜）３１を設置し、同様に、枠体３０１ａに陰極３０１を上下２段に設置している。
【００６１】
図２０（ａ）は、この枠体３１ａの構成を示した図であり、図２０（ｂ）は、枠体３１ａに第２の隔膜（陽イオン交換膜）３１を設置した図である。
図に示すように、枠体３１ａは、上下に同じ大きさの開口部３１ｂを有する。この開口部３１ｂの大きさは、例えば、５０ｃｍ２であり、この開口部３１ｂに第２の隔膜（陽イオン交換膜）３１を設置する。
【００６２】
図２１（ａ）は、陰極を設置するための枠体３０１ａの構成を示した図であり、図２１（ｂ）は、枠体３０１ａに陰極３０１を設置した図である。
図に示すように、枠体３０１ａは、上下に同じ大きさの開口部３０１ｂを有する。そして、この開口部３０１ｂに陰極３０１を固定する。枠体３０１ａ及び開口部３０１ｂは、上記した第２の隔膜（陽イオン交換膜）３１を固定するための枠体３１ａ及び開口部３１ｂと同じ大きさである。
なお、枠体３０１ａに設けられている開口部３０１ｂは、陰極３０１を設置した時に、陰極３０１と枠体３１ａに設置している第２の隔膜（陽イオン交換膜）３１と対峙する位置に設けられている。
【００６３】
図２２は、陰極室における枠体の配置構成を示した組立図であり、図２３は、その配置構成の分解斜視図である。
図に示すように、第２の隔膜（陽イオン交換膜）３１が設置された枠体３１ａは、イオン滞留体３２とスペーサ３３との間に配置され、中間室４００側に向かって、陰極３０１が固定された枠体３０１ａ、イオン滞留体３２、第２の隔膜（陽イオン交換膜）３１が固定された枠体３１ａの順で積層した状態で配置されている。
【００６４】
図２４は、第２の実施形態の変形例を示す図であり、陰極室３００を上下に区画した電解装置１００の構成を示した図である。
図に示すように、陰極室３００が上下に区画しており、それぞれが独立した構成になっている。なお、陽極室は区画されておらず、一室の構成である。
陰極室３００を上下に区画してそれぞれの陰極室３００に電解原水を給水する給水口２０２と、陰極室３００で生成された電解水を吐出するための吐出口２０３をそれぞれ設けている。このような電解装置の場合、例えば、上記したような５０ｃｍ２程度の第２の隔膜（陽イオン交換膜）３１を、上記したように上下に分割して設置し、それに合わせた構成の陰極３０１を設置することで、区画された陰極室３００のそれぞれにおいて、毎分５Ｌの生成能力を有することができ、上下合わせて毎分１０Ｌの電解水を生成できる電解装置を実現することができる。
【００６５】
図２５は、第２の実施形態の更に他の変形例を示す図であり、陰極室３００を複数に区画した電解装置１００の構成を示した図である。
図に示すように、この電解装置では、陰極室３００を上下に４つずつ区画している。この電解装置の場合、それぞれの陰極室３００には、例えば、５０ｃｍ２程度の大きさの第２の隔膜（陽イオン交換膜）３１を設置し、これに合わせた大きさの陰極３０１を設置することができる。そして、各陰極室３００に対して電解原水を給水するための給水口２０２と生成される電解水を吐出させるための吐出口２０３を設けている。これにより、各陰極室３００で毎分５Ｌの電解水の生成能力を有し、１台の電解装置で
５Ｌ／分×８（陰極室の数）＝４０Ｌ／分
の電解水の生成能力を有することができる。
【００６６】
なお、いずれの変形例においても、それぞれの第２の隔膜（陽イオン交換膜）を固定する枠体の両端部付近には、電解反応中に水分を吸収して膨張によって生じる隔膜の歪みを吸収させる空間を有する歪み吸収部が設けられていることは言うまでもない。
【００６７】
＜第３の実施形態＞
第３の実施形態は、歪み吸収部を設けたスペーサの構成について説明する。
図２６（ａ）は、歪み吸収部を有するスペーサの構成を示した正面図であり、図２６（ｂ）は、ＡＡ断面を示した断面図である。
図示するように、歪み吸収部３３ａはスペーサ３３の陰極室３００側の面に形成されている。この歪み吸収部３３ａは、スペーサ３３の周方向に凹状の溝として形成されており、凹状の溝部分で陽イオン交換膜３１の歪んだ部分が吸収される。
上記したように、陽イオン交換膜３１には電解反応中に歪みが発生するが、スペーサ３３とイオン滞留体３２に挟まれており、この部分で発生する歪みは上下または左右におしやられることで歪み吸収部３３ａの溝に吸収される。これにより陽イオン交換膜３１と陰極３０１との距離が保たれるため、電解効率を低下させることなく長時間の稼働が可能となる。
【００６８】
図２７（ａ）は、歪み吸収部を有するスペーサの構成を示した正面図であり、図２７（ｂ）は、ＢＢ断面を示した断面図である。
図示するように、歪み吸収部３３ａは、スペーサ３３の陰極室３００側の面を略同一の大きさで４つに区画されたそれぞれの区画に形成されている。この歪み吸収部３３ａは、区画の周方向に凹状の溝として形成されており、凹状の溝部分に陽イオン交換膜３１の歪んだ部分が吸収される。
このスペーサは、例えば、１０Ｌ／分の電解水を生成できるような大型の装置に採用することができる。この場合、陰極室３００も同様に、４つに区画された構成となっており、区画ごとに陽イオン交換膜３１、イオン滞留体３２、陰極３０１が配置され、区画ごとに電解水を生成することができる。このような構成で配置される陽イオン交換膜３１でも電解反応中に歪みが発生するが、スペーサ３３とイオン滞留体３２に挟まれているため、この部分で発生する歪みは上下又は左右に押しやられることで歪み吸収部３３ａの溝に吸収される。
【００６９】
このように、区画されたスペーサ３３に区画ごとに歪み吸収部３３ａを設けることで区画された陰極室３００にも対応することができる。上記したような外枠５０を複数に区画し歪み吸収部３３ａを設けるとなると、区画ごとに電解質水溶液を供給するためのシステムを必要とするため、大型化し複雑な装置となってしまう。しかし、スペーサ３３であれば交換が容易であるため、区画されたスペーサ３３に交換することで区画された陰極室３００に対応することができる。
【００７０】
次に、陽イオン交換膜の大きさと歪み吸収部の有無の関係について説明する。
陽イオン交換膜３１は、吸水性が高いため電解反応中に電解原水や生成される電解水を吸水して膨潤し歪みが発生する。この歪んだ部分で陰極３０１との間隔が広くなってしまい、中間室４００から移動してくる電解イオン物質が陰極３０１まで届かず、高圧で供給される電解原水に流されてしまい、電解効率が低下してしまう。
そのため、歪み吸収部３３ａを設けることで陽イオン交換膜３１の歪みを吸収し、陽イオン交換膜と３１陰極３０１との間隔を保持させている。ところが、電解水を生成する装置が小規模の場合では、設置する陽イオン交換膜３１も小さくてよい。陽イオン交換膜３１が小さい場合でも、当然電解反応中に歪みが発生するが、電解効率に影響を与えるほどの歪みではないため、歪み吸収部を設置する必要はない。
【００７１】
具体的には、矩形状の陽イオン交換膜５１の２辺のそれぞれが１２ｃｍ以下の場合、歪みが発生してもこの歪みによる陰極３０１との間隔が電解効率の低下に影響を与えるほどではないため、歪み吸収部３３ａを設ける必要がない。このため、２辺のそれぞれが１２ｃｍ以下の陽イオン交換膜３１を１枚で使用する場合、もしくは上記したような枠体３１ａに複数配列する場合において歪み吸収部を設置する必要がない。
【００７２】
反対に、陽イオン交換膜３１の２辺のうち一方が１２ｃｍ以上の場合、歪み吸収部３３ａを設ける必要がある。１２ｃｍ以上では、電解反応中に発生する歪みによって陽イオン交換膜３１と陰極３０１との間隔が広がるため、中間室４００から移動する電解イオン物質が高圧で陰極室に供給される電解原水によって流されてしまう。よって、この歪みを吸収させる必要があるため、中間室４００を構成する外枠やスペーサに歪み吸収部３３ａを設ける必要がある。
【符号の説明】
【００７３】
２０    第１の膜保持構造物
２１    第１の隔膜（陰イオン交換膜）
２２、３２ イオン滞留体
２２ａ、２３ａ、３２ａ    孔
２３ｂ、３２ｂ    凸条
２３、３３    スペーサ
３０    第２の膜構造物
３１    第２の隔膜（陽イオン交換膜）
１００    電解装置
２００    陽極室
２００ａ、３００ａ    凸部
２０１    陽極
２０２    給水口
２０２ａ    第１の開閉バルブ
２０３    吐出口
２０４    第１の吐出バルブ
３００    陰極室
３０１    陰極
３０２    給水口
３０２ａ    第２の開閉バルブ
３０３    吐出口
３０４    第２の吐出バルブ
４００    中間室
４０１    供給タンク
４０２    パイプ
５００    連通孔
５０１    連通路
５０２    開閉量調整御バルブ
６００    電源
７００    分配割合調整バルブ
【図１】
0005894787.tif 000002
【図２】
0005894787.tif 000003
【図３】
0005894787.tif 000004
【図４】
0005894787.tif 000005
【図５】
0005894787.tif 000006
【図６】
0005894787.tif 000007
【図７】
0005894787.tif 000008
【図８】
0005894787.tif 000009
【図９】
0005894787.tif 000010
【図１０】
0005894787.tif 000011
【図１１】
0005894787.tif 000012
【図１２】
0005894787.tif 000013
【図１３】
0005894787.tif 000014
【図１４】
0005894787.tif 000015
【図１５】
0005894787.tif 000016
【図１６】
0005894787.tif 000017
【図１７】
0005894787.tif 000018
【図１８】
0005894787.tif 000019
【図１９】
0005894787.tif 000020
【図２０】
0005894787.tif 000021
【図２１】
0005894787.tif 000022
【図２２】
0005894787.tif 000023
【図２３】
0005894787.tif 000024
【図２４】
0005894787.tif 000025
【図２５】
0005894787.tif 000026
【図２６】
0005894787.tif 000027
【図２７】
0005894787.tif 000028
【図２８】
0005894787.tif 000029